(57)【要約】本発明は、瓶（４）内部の液体の温度を均等に保つことができる、曲げ易く、非常に軽量なポケットサイズの容器にある。バッグ（１）は、長方形のホイルを２つに折り畳み、次に瓶（４）又は食物が挿通される一方の側だけを残して、２つの側を溶接することにより作られる。このホイルは、断熱性で、反射性のある防水性の材料から作製される。瓶の首（４）と同じ寸法を有する２つの穴（２．１、３．１）は、開口した短い側の近傍に位置する。ゴムバンド（８）は、等温バッグ（１）を巻き上げ又は折り畳んだ後に閉じて、その結果バッグを小型でポケットサイズにする。バッグ（１）は、瓶（４）を完全に包み込むが、穴（２．１、３．１）によって、ユーザがバッグ（１）を開いたり、閉じたりすること無く、飲むことが可能になる。バッグの閉鎖具は、機能的であり、衛生的且つ使い勝手がよい。
2004512239.tif 000002
【特許請求の範囲】
【請求項１】
瓶（４）と略同じ大きさを有する、瓶及び食品のための等温ポケットバッグであって、
前記バッグ（１）は、特に食品のために使用される合成材料の１つ又はそれ以上の層を有する、柔らかく曲げ易い長方形のホイルから作られており、これらの材料が、断熱性、反射性及び防水特性を有することにより、前記バッグ（１）内部の温度を全く均等に維持することが可能であり、前記バッグ（１）は、上述の長方形ホイルを２つに折り畳むことにより作られ、次に溶接又は他の方法で接合される２つの側によって固定され、最終製品は、バッグの短い側に１つの開口を備えたバッグであり、前記開口は、２つのフラップ（２、３）によって区切られ、該フラップ（２、３）の各々が、瓶の首（４）と略同じ大きさの穴（２．１、３．１）を有し、前記穴（２．１、３．１）が、開口した前記短い側の縁（２．２、３．２）の近傍に位置し、これらの穴（２．１、３．１）は略同軸であり、バッグ（１）の使用時には、前記瓶の首（４）が該穴を貫通し、前記各穴（２．１、３．１）の縁は、伸縮自在にされるか、又は溶接若しくは異なる材料から構成されたリングによって補強されることができ、ゴムバンド（ｅｌａｓｔｉｃ ｂａｎｄ）（８）、紐、又はリボンを、該バッグを巻き上げ又は折り畳んだ後に閉じることができるように前記等温バッグ（１）の外側に固定されている等温ポケットバッグ（ｉｓｏｔｈｅｒｍａｌ ｐｏｃｋｅｔ ｂａｇ）。
【請求項２】
前記曲げ易いホイルが、３つの異なる材料の層から構成され、外側の層が反射性であり、中間の層は断熱特性を有し、内側の層が防水性及び／又は反射性であることを特徴とする、特許請求の範囲第１項に記載の等温ポケットバッグ。
【請求項３】
前記曲げ易いホイルが、４つの層から構成され、外側の層が反射性であり、２つの中間の層が断熱特性を有し、内側の層が防水性及び／又は反射性であることを特徴とする、特許請求の範囲第１項に記載の等温ポケットバッグ。
【請求項４】
前記曲げ易いホイルが、断熱性、反射性及び防水特性を有する単一の層から構成されることを特徴とする、特許請求の範囲第１項に記載の等温ポケットバッグ。
【請求項５】
ゴムバンド（８）、紐、又はリボンが、前記バッグ（１）に固定されないことを特徴とする、特許請求の範囲第１項に記載の等温ポケットバッグ。
【請求項６】
前記開口した短い側の縁（２．２、３．２）の近傍の２つの穴（２．１、３．１）と共に、閉じた短い側に位置し、瓶の首（４）と同じサイズを有する穴（５）を備えることを特徴とする、請求項１に記載の等温ポケットバッグ。
【請求項７】
閉じた短い側に位置し、瓶の首（４）と略同じ寸法を有する単一の穴（５）を備えることを特徴とする、特許請求の範囲第１項に記載の等温ポケットバッグ。
【請求項８】
前記短い側の開口が、小さな握り部（６）及び取っ手（７）のような閉鎖具を備えることを特徴とする、特許請求の範囲第１項及び第７項に記載の等温ポケットバッグ。
【請求項９】
丸みのあるコーナーを備え、該コーナーの底部が折り畳むことができることを特徴とする、特許請求の範囲第１項に記載の等温ポケットバッグ。
【請求項１０】
２つの長方形のホイルを接合することによって作られ、該ホイルは、２つの長い側と１つの短い側である３つの側に沿って共に固定されることを特徴とする、特許請求の範囲第１項に記載の等温ポケットバッグ。
【発明の詳細な説明】
【０００１】
技術分野
本発明は、食物及び飲物の温度を内部で均等に維持する等温バッグ（ｉｓｏｔｈｅｒｍａｌ ｂａｇ）に関する。
【０００２】
背景技術
人々は、浜辺やテニスコートで、又は長旅の間などで、特に天候が暑く、冷蔵庫が利用できない場合には、手近に冷たい食物又は飲物（例えば水、お茶、ワイン、ソフトドリンクなど）が欲しくなることが多い。
今日広く知られているように、冷蔵庫を使用することなく食物及び飲物を冷たく維持する様々なシステムがある。これらのシステムには、サーモス（ｔｈｅｒｍｏｓｅｓ）、携帯クーラー（ｐｏｒｔａｂｌｅ ｃｏｏｌｅｒｓ）、及び魔法瓶が含まれるが、これらには、ユーザに対する大小幾つかの欠点を有する可能性がある。サーモスは、通常扱いにくく、飲み終わった際にこれを持ち運ぶことは人に不便を感じさせる。携帯クーラー（人造氷で冷却する）は扱いにくく、持ち運ぶには重い。魔法瓶は、軽量であるが、同様に扱いにくい。従って、携帯クーラー及び魔法瓶は、ユーザが飲物と食品の両方を運ぶ場合、つまりこれらの重量及び大きさに関する不便さを全て受け入れる場合にだけ使用される。しかし、人々は、不便さの理由から上記の冷却システムをいずれも携行しない場合に、ただ１つの冷たい飲物又は小さな箱や容器に詰めた幾らかの食物（例えばヨーグルト、アイスクリーム、サンドイッチなど）を所持することを望むことが多い。従って、食物及び飲物は、特に日光の下では短い時間の間に温かくなり、食欲を損なうことになる。
別の解決方法は、米国特許番号Ｄｅｓ ４０３，９２６号及び第５，８９０，８０９号に記載されているような、瓶用の特定のバッグを使用することである。しかしながら、これらの容器は、瓶を完全にはカバーせず、熱絶縁性を低下させる。米国特許番号Ｄｅｓ ４０９，４５０号及び第５，８０４，２６５号は、実際に完全に瓶をカバーする、他の瓶用バッグに言及しているが、これらから直接飲むための穴が無い。実際、ユーザは飲む度に毎回バッグを開閉する必要があり、これは快適性に欠け、バッグ内外の熱交換を増大させる。米国特許番号Ｄｅｓ ３９２，０２５は、バッグが瓶の首までカバーすることから、かなり効果的な解決方法を与えており、従ってユーザは、バッグを開くこと無く瓶の栓を開けることも可能となる。しかし残念なことに、このバッグは紐で閉じられており、その結果、塵埃、砂、及び他の非衛生的な状態を受けやすく、又製造コストが高いことも併せ持つ。
【０００３】
発明の開示
本発明は、食物又は飲物の温度を均等に維持することができ、上述の冷却システムと同様の不便さが無い、全く新規の等温バッグをユーザに提供することを目的とする。
この目的は、曲げ易い（ｆｌｅｘｉｂｌｅ）、等温のポケットサイズのバッグによって達成される。このバッグは、長方形のホイルを２つに折り畳むことにより作られ、次に溶接又は他の方法で接合される２つの側によって固定される。最終製品は、短い側の一方に１つのみの開口を備えたバッグである。この開口は、各々が、瓶の首と略同じ大きさの穴を有する２つのフラップ（ｆｌａｐ）によって境界が設定される。これらの穴は、開口した短い側の縁の近傍に位置する。各穴の縁は、伸縮性が持たせられるか、或いは溶接又は異なる材料から構成されたリングによって補強されることができる。この２つの穴は略同軸である。
このバッグは、瓶と略同じサイズであり、その結果、このバッグは完全に瓶を包み込むことができる。
ホイルは、特に食品のために使用される柔らかく曲げ易い３つの異なる合成材料の層から構成される。外側の層は反射性があり、中間層は断熱特性を有し、内側の層は防水性及び／又は反射性がある。また、ホイルは４つの層から構成されてもよく、この場合、外側の層が反射性であり、２つの中間の層が断熱特性を有し、一方内側の層が防水性及び／又は反射性である。また、断熱特性、反射特性及び防水特性を特徴とする単一の層を備えたホイルを使用することができる。この等温バッグは、丸みのあるコーナーを有することができ、その底部を折り畳むことができる。
【０００４】
ゴムバンド（ｅｌａｓｔｉｃ ｂａｎｄ）、紐、又はリボンをこのバッグの外側に固定して、使用の前後において、小型でポケットサイズとなるように、巻き上げ又は折り畳むことができる。ゴムバンド、紐、又はリボンは、巻き上げられ又は折り畳まれたバッグを保持し、再度広がるのを防止する。
別の解決方法は、瓶の首と略同じサイズの、閉じた短い側の穴によって与えられる。別の解決方法として、バッグは、閉じた短い側に単一の穴を有することができる。この場合、短い側の縁は、小さな握り部及び取っ手のような閉鎖具を備えることができる。
また、バッグは、２つの長方形のホイルを接合することによって作ることができ、該ホイルは、２つの長い側と１つの短い側である３つの側に沿って共に固定される。この等温バッグは、他の冷却システムから提供される多くの利点を有するが、それらの欠点は有さない。実際、このバッグは扱いやすく非常に軽量であり、再使用することができ、破れにくく、持ち運びし易く使い勝手がよい。このバッグは、ポケットサイズのバッグであり、従って非常に簡単に収納でき、全く邪魔にならない。
材料が非常に軽量であることから、バッグの重量は極めて小さい。しかしながら、材料は非常に軽量であるが、極めて耐久性があり、そのためバッグは何回も使用することができる。他方、このバッグは非常に安価であり、１回だけの使用後に廃棄することができる。
また、このバッグの穴は、取っ手として使用してもよく、ユーザは一本の指で穴を保持することにより瓶を簡単に携行することができる。
通常の保温バッグと違い、このバッグが完全に瓶を包み込むことにより、従って断熱性（ｈｅａｔ ｉｎｓｕｌａｔｉｏｎ）が増大する。バッグの穴により、ユーザは飲む度に毎回バッグを開閉する必要なく、瓶からまっすぐに飲むことが可能となり、従ってバッグ内外の熱交換を低減する。バッグの閉鎖具は、簡単で機能性があり、同時に衛生的である。
このバッグの主要な利点の１つは、その衛生的な特質にある。実際、バッグは特に食物又は飲物用に使用される防水性の材料から構成される。結露（冷たい瓶が温かい空気と接触すると発生する）は、本発明によって極めて低減され、その結果、バッグは、結露と、瓶が置かれている場所の表面上にある物質（砂、海草、赤色土（ｒｅｄ ｅａｒｔｈ）、塵埃）との間の非衛生的な混合を回避することができる。このようにして、ユーザは、ハンドバッグ、ベルトバッグ、リュックサックなどのような、等温バッグが置かれている入れ物又は手が、汚れるのを避けることができる。更に、このバッグは、防水性の材料から構成されていることから、簡単に洗うことができる。
本発明の更なる特性及び利点は、上述のバッグの具体的な幾つかの実施態様の説明で明らかになるであろう。この実施態様は、好ましいが、必須のものでは無く、添付図面の説明の目的にのみ与えられる。
【０００５】
発明を実施するための最良の形態
図１は、第１の実施態様によって製造されたバッグの正面図である。
図２は、第１のフラップが、瓶の首及び上側部分を包んだときのバッグの正面図である。
図３は、両方のフラップが、瓶の首及び上側部分を包んだときのバッグの正面図である。
図４は、丸く巻かれた時のバッグの斜視図である。
図５は、第２の実施態様によって製造されたバッグの正面図である。
図６は、第３の実施態様によって製造されたバッグの正面図である。
【０００６】
第１の実施態様によって製造された等温バッグ１は、長方形のホイルを短い側に沿って２つに折り畳み、次に２つの長い側を溶接で接合することにより作られる。最終製品は、第２の短い側にただ１つの開口を備えたバッグである。この開口は、２つのフラップ２、３で境界が設定されている。各フラップ２、３は、瓶の首４とほぼ同じ大きさの穴２．１、３．１を有する。これらの穴２．１、３．１は、開口した短い側の縁２．２、３．２の近傍に位置する。
バッグ１の寸法（ｄｉｍｅｎｓｉｏｎｓ）は、瓶４とほぼ同じである。
長方形のホイルは、ＰＥＴのような、特に食品用に使用される、柔らかく曲げ易い合成材料の３つの異なる層から構成される。外側の層は反射性があり、中間層は断熱特性を有し、内側の層は防水性及び／又は反射性がある。
瓶４の冷水の温度を、日光の下においても可能な限り長い間均等に維持したい場合には、瓶は等温バッグ１へ入れられる。このサイズのおかげで、バッグ１は、瓶４を完全に及び全体的に包み込む場合と同様となる。
第１のフラップ２の穴２．１は、瓶の首４の端部と一致する必要がある。瓶の首は、穴２．１の内部に置かれる。次にフラップ２を瓶４の上側部分を完全にカバーするまで折り畳む。第２のフラップ３の穴３．１は、瓶の首４の端部と一致する必要がある。また、瓶の首は穴３．１の内部に置かれる。次に第２のフラップ３は、第１のフラップ２を完全にカバーするまで折り畳む。その結果、瓶４の上側部分は、バッグ１によって完全にカバーされ、且つ瓶の首が２つの穴２．１、３．１から出るので、フラップ２、３を開くことなく瓶から飲むことが可能となる。
２つの穴２．１、３．１の縁が瓶の首４上に嵌められているので、２つのフラップ２、３は、上に持ち上げられることはできない。
また、第２の実施態様によって製造された等温バッグ１は、瓶の首４とほぼ同じサイズの穴５を備えた、閉じた短い側を有する。この場合、瓶４はバッグ１に入れられて、瓶の首が穴５を貫通するようになっている。２つの穴２．１、３．１は、瓶４を中に入れてバッグ１を持ち運ぶための取っ手としての役目をする。
第３の実施形態によって製造された等温バッグ１は、開口した短い側には穴２．１、３．１を有さず、一方、閉じた短い側は上述の穴５を有する。この場合、開口した短い側には、瓶４を中に入れてバッグ１を持ち運ぶための小さな握り部６及び取っ手７のような閉鎖具を備える。
バッグ１は、非常に軽量の材料から構成され、その結果ユーザは瓶を携行している間、バッグの重量を感じない。しかしながら、この材料の特質によって、極めて衛生的な状態で瓶４内部の液体の温度を均等に保つことが可能になる。
一旦、使用されたバッグ１は、丸く巻くことができ、その結果小型でポケットサイズになる。紐８は、バッグ１が再度広がるのを防止する。
【国際公開パンフレット】
2004512239.tif 000003
2004512239.tif 000004
2004512239.tif 000005
2004512239.tif 000006
2004512239.tif 000007
2004512239.tif 000008
2004512239.tif 000009
2004512239.tif 000010
2004512239.tif 000011
2004512239.tif 000012
2004512239.tif 000013
2004512239.tif 000014
2004512239.tif 000015
【国際公開パンフレット（コレクトバージョン）】
2004512239.tif 000016
2004512239.tif 000017
【手続補正書】
【提出日】平成14年5月21日(2002.5.21)
【手続補正１】
【補正対象書類名】明細書
【補正対象項目名】特許請求の範囲
【補正方法】変更
【補正の内容】
【特許請求の範囲】
【請求項１】
瓶（４）と略同じ大きさを有する、瓶及び食品のための等温ポケットバッグであって、前記バッグ（１）が、柔らかく可撓性の長方形のホイルから構成され、前記バッグ（１）は、短い側の一方に１つの開口を有し、前記バッグ（１）は、上述の長方形ホイルを２つに折り畳むことにより作られ、次に溶接又は他の方法で接合される２つの側によって固定されており、ここで、前記バッグ（１）は、瓶の首（４）と略同じ大きさの２つの穴（２．１、３．１）を有しており、これらの穴（２．１、３．１）は略同軸であり、バッグ（１）の使用時には前記瓶の首（４）が該穴を貫通し、前記穴（２．１、３．１）が、前記短い側の開口の縁（２．２、３．２）の近傍に位置し、前記縁（２．２、３．２）と長い側が、前記開口近傍の２つの長方形領域の境界を設定し、前記穴（２．１、３．１）は、該領域内に位置し、前記長方形領域が２つのフラップ（２、３）として機能し、前記瓶の首（４）が、前記穴（２．１、３．１）を貫通したとき、前記領域（２、３）が折り畳まれて前記瓶（４）の上側部分を完全にカバーし、前記穴（２．１、３．１）の両方が、前記バッグ（１）を閉じ且つ前記瓶（４）を持ち運ぶために働き、前記フラップ（２、３）の両方が、カバー及び取っ手として機能し、ただ一方の穴（２．１、３．１）が前記瓶の首（４）上に挿入されたとき、前記瓶（４）は既に完全にカバーされ、且つ他方の穴（２．１、３．１）は取っ手として機能し、各穴（２．１、３．１）の縁が、溶接によって補強され、上述のホイルが、特に食品のために使用される１つ又はそれ以上の合成材料の層から構成され、これらの材料が、断熱性と、反射性と、防水特性とを有することにより、前記バッグ（１）内部の温度を全く均等に維持することが可能であり、ゴムバンド（８）が、前記バッグ（１）を巻き上げ又は折り畳んだ後に、該バッグを閉じるものであることを特徴とする等温ポケットバッグ。
【請求項２】
前記曲げ易いホイルが、３つの異なる材料の層から構成され、外側の層が反射性であり、中間の層は断熱特性を有し、内側の層が防水性及び／又は反射性であることを特徴とする、特許請求の範囲第１項に記載の等温ポケットバッグ。
【請求項３】
前記曲げ易いホイルが、４つの層から構成され、外側の層が反射性であり、２つの中間の層が断熱特性を有し、内側の層が防水性及び／又は反射性であることを特徴とする、特許請求の範囲第１項に記載の等温ポケットバッグ。
【請求項４】
前記曲げ易いホイルが、断熱特性、反射特性及び防水特性を有する単一の層から構成されることを特徴とする、特許請求の範囲第１項に記載の等温ポケットバッグ。
【請求項５】
弾性バンド（８）、紐、又はリボンが、前記バッグ（１）に固定されないことを特徴とする、特許請求の範囲第１項に記載の等温ポケットバッグ。
【請求項６】
前記開口した短い側の縁（２．２、３．２）の近傍の２つの穴（２．１、３．１）と共に、閉じた短い側に位置し、瓶の首（４）と同じ大きさを有する穴（５）を備えることを特徴とする、特許請求の範囲第１項に記載の等温ポケットバッグ。
【請求項７】
閉じた短い側に位置し、瓶の首（４）と略同じ外形寸法を有する単一の穴（５）を備えることを特徴とする、特許請求の範囲第１項に記載の等温ポケットバッグ。
【請求項８】
前記短い側の開口が、小さな握り部（６）及び取っ手（７）のような閉鎖具を備えることを特徴とする、特許請求の範囲第１項及び第７項に記載の等温ポケットバッグ。
【請求項９】
丸みのあるコーナーを備え、該コーナーの底部が折り畳むことができることを特徴とする、特許請求の範囲第１項に記載の等温ポケットバッグ。
【請求項１０】
２つの長方形のホイルを接合することによって作られ、該ホイルは、２つの長い側と１つの短い側である３つの側に沿って共に固定されることを特徴とする、特許請求の範囲第１項に記載の等温ポケットバッグ。
【請求項１１】
前記各穴（２．１、３．１）の縁が伸縮性を有することを特徴とする、特許請求の範囲第１項に記載の等温ポケットバッグ。
【請求項１２】
前記各穴（２．１、３．１）の縁が、異なる材料から構成されたリングによって補強されていることを特徴とする、特許請求の範囲第１項に記載の等温ポケットバッグ。
【請求項１３】
紐を前記等温バッグ（１）の外側に固定して、該バッグを巻き上げ又は折り畳んだ後に閉じることを特徴とする、特許請求の範囲第１項に記載の等温ポケットバッグ。
【手続補正２】
【補正対象書類名】明細書
【補正対象項目名】０００１
【補正方法】変更
【補正の内容】
【０００１】
技術分野
本発明は、食物及び飲物の温度を内部で均等に保つ等温バッグに関する。


【手続補正３】
【補正対象書類名】明細書
【補正対象項目名】０００２
【補正方法】変更
【補正の内容】
【０００２】
背景技術
人々は、浜辺やテニスコートで、又は長旅の途中などの際に、特に天候が暑く、冷蔵庫が利用できない場合には、手近に冷たい食物又は飲物（例えば水、お茶、ワイン、ソフトドリンクなど）が欲しくなることが多い。
今日広く知られているように、冷蔵庫を使用することなく食物及び飲物を冷たく維持する様々なシステムがある。このシステムには、サーモス、携帯クーラー、及び魔法瓶が含まれるが、これらには、ユーザに対する大小幾つかの欠点を有する可能性がある。サーモスは、通常扱いにくく、飲み終わった際にこれを持ち運ぶことは人に不便を感じさせる。携帯クーラー（人造氷で冷却する）は扱いにくく、持ち運ぶには重い。魔法瓶は、軽量であるが、同様に扱いにくい。従って、携帯クーラー及び魔法瓶は、ユーザが飲物と食品の両方を運ぶ場合、つまりこれらの重量及び大きさに関する不便さを全て受け入れる場合にだけ使用される。しかし、人々は、不便さの理由から上記の冷却システムをいずれも携行しない場合に、ただ１つの冷たい飲物又は小さな箱や容器に詰めた幾らかの食物（例えばヨーグルト、アイスクリーム、サンドイッチなど）を所持することを望むことが多い。従って、食物及び飲物は、特に日光の下では短い時間の間に温かくなり、食欲を損なうことになる。
多くの解決方法が、この問題を解決するために開発されてきた。例えば、米国特許番号第４，２１１，０９１号には、食物を運搬及び保管するように適合された、曲げ易い断熱ランチバッグが記載されているが、特に瓶用に特定されていない。このバッグの留め具は、接着テープによって得られる。それにもかかわらず、バッグを完全に閉じるためには、瓶全体をバッグ自体の中に入れなければならない。実際、ユーザは飲料する度に毎回バッグを開閉する必要があり、これは快適性に欠け、バッグ内外の熱交換を増大させる。記載されたバッグは、脇に曲げ易いキャリングストラップを必要であり、これにより、充満状態及び空の状態いずれでもバッグを運ぶことができる。このストラップは、塵埃及び砂を受けやすい取り外し可能な接合部材によってバッグに固定され、これはより高い製造コストと製造上の問題が生じる。
米国特許第４，６６９，６３２号は、同様に２つのガス不透過性のフィルムを備えるバッグを記載しているが、瓶用に検討された特定の開口が無い。
別の解決方法は、米国特許番号Ｄｅｓ ４０３，９２６号及び第５，８９０，８０９号に記載されているような、特定の瓶バッグを使用することである。しかしながらこれらの容器は、瓶を完全にはカバーせず、断熱性を低下させる。米国特許番号Ｄｅｓ ４０９，４５０号及び第５，８０４，２６５号は、実際に完全に瓶をカバーする、他の瓶用バッグに言及しているが、これらから直接飲料するための穴が無い。この場合、同様に米国特許番号第４，２１１，０９１号で記載されているように、ユーザは飲料する度に毎回バッグを開閉する必要があり、その結果として生じる暖かい空気の流入及びその作用を伴う。
米国特許番号Ｄｅｓ ３９２，０２５は、バッグが瓶の首までカバーすることから、かなり効果的な解決方法を与えており、従ってユーザは、バッグを開くこと無く瓶の栓を開けることも可能となる。しかし残念なことに、このバッグは紐で閉じられており、その結果、塵埃、砂、及び他の非衛生的な状態を受けやすく、又製造コストが高いことも併せ持つ。開口側周囲全体に紐を備えたバッグが記載されているオランダ特許第１００１７２０も同様に、上述の不便さを生じる。
別の公知の特許は、欧州特許第０７１０６０８であり、ヒートシールされた曲げ易い多層の樹脂から形成された断熱キャリング容器が記載されている。２重になったキャリング部分は、１対の取付けフラップを有し、その各々が中央開口を有し、且つ切り込みによって取っ手部分から分離している。取付けフラップは、瓶の口にわたって、順に折り畳まれる。しかし、この２つの取付けフラップは、瓶を完全にカバーしない形状及びサイズを有する。反対に、このバッグのより長い側上の２つの空洞により、暖かい空気流が、瓶の全長に対して瓶の両側を暖める２つの間隙を生成させる。更に、キャリング取っ手が常に存在すると、飲料の際の障害となる。


【手続補正４】
【補正対象書類名】明細書
【補正対象項目名】０００３
【補正方法】変更
【補正の内容】
【０００３】
発明の開示
本発明は、食物又は飲物の温度を均等に維持することができ、上述の冷却システムと同様の不便さが無い、全く新規の等温バッグをユーザに提供することを目的とする。
この目的は、曲げやすい等温のポケットバッグによって達成される。このバッグは、長方形のホイルを２つに折り畳むことにより作られ、次に溶接又は他の方法で接合される２つの側によって固定される。最終製品は、短い側の一方に１つのみの開口を備えたバッグである。この開口は、各々が、瓶の首と略同じサイズの穴を有する２つのフラップによって区切られる。これらの穴は、開口した短い側の縁近傍に位置する。各穴の縁は、伸縮性があるか、或いは溶接又は異なる材料から構成されたリングによって補強されることができる。この２つの穴は略同軸である。
このバッグは、瓶と略同じサイズであり、その結果、このバッグは完全に瓶を包み込むことができる。
ホイルは、特に食品のために使用される柔らかく曲げ易い３つの異なる合成材料の層から構成される。外側の層は反射性があり、中間層は断熱特性を有し、内側の層は防水性及び／又は反射性がある。また、ホイルは４つの層から構成されてもよく、この場合、外側の層が反射性であり、２つの中間の層が断熱特性を有し、一方内側の層が防水性及び／又は反射性である。また、断熱特性、反射特性及び防水特性を特徴とする単一の層を備えたホイルを使用することができる。この等温バッグは、丸みのあるコーナーを有することができ、その底部を折り畳むことができる。




【国際調査報告】
2004512239.tif 000018
2004512239.tif 000019
2004512239.tif 000020